(57)【要約】【課題】  ＣＤ印刷動作時に、ヘッドまたはキャッリッジがＣＤと干渉する可能性を低減する。【解決手段】  ＣＤトレーに、ＣＤの外周縁部を覆う、ＣＤ浮き防止部材を設ける。ＣＤを上下トレーで挟み込む。【選択図】  図４
2007118365.tif 000002
【特許請求の範囲】
【請求項１】
インクジェット記録装置において被記録媒体の搬送を補助する搬送補助装置であって、少なくとも記録動作時には記録ヘッドと被記録媒体の間に位置して、被記録媒体の被記録面の外周縁を覆う媒体周縁被覆手段を備えたことを特徴とする搬送補助装置。
【請求項２】
前記媒体周縁被覆手段を有する第1の搬送補助手段を備え、被記録媒体を位置決め固定する第2の搬送補助手段を備えたことを特徴とする請求項1に記載の搬送補助装置。
【請求項３】
前記第1の搬送補助手段と前記第２の搬送補助手段とを、互いに開閉可能に結合するヒンジ手段を備えたことを特徴とする請求項2に記載の搬送補助装置。
【発明の詳細な説明】
【技術分野】
【０００１】
本発明は、インクジェット記録装置において被記録媒体の搬送を補助する搬送補助装置に関する。
【背景技術】
【０００２】
インクジェット記録装置においては、非接触型記録装置の特徴を生かして、さまざまな被記録媒体への印刷が実現されつつある。一般的な記録用紙以外の被記録媒体に印刷する場合は、何らかの搬送補助装置が用いられる場合がある。たとえば、情報保存媒体であるコンパクトディスク等への印刷の際は、補助トレー装置が別体または装置に内蔵されて提供されている。
【特許文献１】特開２００２−２５４６７７号公報
【発明の開示】
【発明が解決しようとする課題】
【０００３】
一般的に、いわゆる記録用紙の類に比して、搬送補助装置を必要とする被記録媒体は、高価なものであったり希少性が高いものであったりする可能性がある。このような被記録媒体の搬送において、被記録媒体が損傷する可能性を、極力低減することが課題となってきている。
【課題を解決するための手段】
【０００４】
本発明は、第一に、インクジェット記録装置において被記録媒体の搬送を補助する搬送補助装置であって、少なくとも記録動作時には記録ヘッドと被記録媒体の間に位置して、被記録媒体の被記録面の外周縁を覆う媒体周縁被覆手段を備えるものである。記録ヘッドと被記録媒体とが接触する可能性を低減し、被記録媒体が損傷する可能性を低減するものである。
【０００５】
第２に、前記媒体周縁被覆手段を有する第1の搬送補助手段を備え、被記録媒体を位置決め固定する第2の搬送補助手段を備えるものである。搬送補助装置の操作性を向上するものである。
【０００６】
第３に、前記第1の搬送補助手段と前記第２の搬送補助手段とを、互いに開閉可能に結合するヒンジ手段を備えるものである。搬送補助装置の操作性をさらに向上するものである。
【発明の効果】
【０００７】
本発明によれば、簡便な構成にて、記録ヘッドと被記録媒体とが接触する可能性を低減し、信頼性の高い記録システムが得られる。
【発明を実施するための最良の形態】
【０００８】
以下、本発明の実施の形態について図面を参照して説明する。
【０００９】
本実施例では、搬送補助装置に装着する被記録媒体として、コンパクトディスク、以下CDと言う、を用いた構成を説明する。搬送補助装置は、記録装置本体に内蔵であっても別体外付けであってもよい。本例では、別体外付けの構成にて説明する。
【００１０】
図１は、本発明を実施したインクジェット記録装置の外観概略構成を示す外観斜視図である。１は装置筐体であり、内部に記録エンジン、電気回路基板等を有している。図示しない記録用紙は給紙トレー37を開けて内部の給紙口にセットする。記録用紙は、排紙口36から排紙される。搬送補助装置であるところのCDトレー4は、CDトレー搬送台2にセットされ、図示しない搬送系により矢印A方向に搬送される。
【００１１】
図２は、実施例の記録エンジンの主要構成を示す斜視図である。図2において、キャリッジ6には、記録ヘッド8およびインクタンク7が搭載されている。キャリッジ6は、キャリッジモータ11により、キャリッジベルト12を介して、キャリッジシャフト9およびキャリッジガイド10に沿って、矢印K方向の主走査方向に駆動される。搬送ローラ15および排紙ローラ16は、搬送モータ13により、搬送駆動伝達系14を介して矢印L方向の副走査方向に駆動される。１７は、被記録媒体を支持するプラテンである。18はメンテナンスユニットであり、ヘッド保護キャップ等があり、図示しないポンプ系との協働により、記録ヘッドのメンテナンスがおこなわれる。
【００１２】
図３にて、従来技術の例を説明しておく。CD取り付け板21のCD取り付け部20に、CD19が軽圧入され、CD取り付け板21と一体となって装置内部に搬送される。CD取り付け板21に変形があったり、CD19のCD取り付け板21への密着が不十分であると、装置内部でCD19と記録ヘッドが干渉する可能性が考えられる。
【００１３】
図４〜図６は、搬送補助装置であるところのCDトレーの構成を示す斜視図である。図４は、CD19をCDトレー4に着脱する様子を示し、図５および図6は、CD19がCDトレー4にセットされ、印刷可能な状態を示す。図5は記録ヘッド対向面側からみた斜視図であり、図6はプラテン対向面側からみた斜視図である。
【００１４】
図４において、22は第1の搬送補助手段であるところのトレー上ケースである。23は第2の搬送補助手段であるところのトレー下ケースである。トレー上ケース22とトレー下ケース23とで搬送補助装置であるところのCDトレー4を成している。本例では、トレー上ケース22およびトレー下ケース23はプラスチックモールド成型品である。図４は、CD19の着脱のためにトレー上ケース22が開いた状態である。26は、ヒンジ手段であるところの上下ケース回動ヒンジ部である。トレー上ケース22とトレー下ケース23とは、上下ケース回動ヒンジ部26にて平面方向の動きは拘束され、矢印C方向の開閉のみ自在に連結されている。20はトレー下ケース23と一体に形成されCD19を位置決め固定するCD取り付け部であり、CD19の穴と軽圧入により係合し、CD19は窪み底34にセットされる。CD19は、矢印B方向に着脱される。27は、トレー上ケース22を図５の如く閉じたときに、CD19の外周縁部に覆い被さる媒体周縁被覆手段であるところのCD押さえツバである。24は、上下ケース開閉の際に指をかける指かけツバである。上下ケースが閉じた状態では、上ケース係止爪29が下ケース係止アゴ30に係止している。
【００１５】
図７は、図５のD-D断面図を示す図であり、さらに部分拡大図を、図8および図9に示す。図8はCD取り付け部の拡大図である。図8において、CD19は、CD取り付け部20の一部分であるCD取り付け弾性部28と圧入係合して、トレー下ケース23の窪み底34に当接して装着されている。図9は、CD外周縁部の拡大図である。図9において、CD外周縁部35には、トレー上ケース22の一部分であるCD押さえツバ27が覆い被さっている。CD外周縁部全域にわたって幅I、クリアランスJの寸法にて覆っている。幅Iは1〜2ｍｍ程度、クリアランスJは0.1〜0.3ｍｍ程度である。
【００１６】
図１０は、上下ケース係止部25の拡大断面図である。係止部2箇所とも同一形状である。トレー上ケース22と一体に形成され弾性を有する上ケース係止爪29が、トレー下ケース23の一部分である下ケース係止アゴ30に係止している。
【００１７】
図１１は、上下ケース回動ヒンジ部26の拡大斜視図である。ヒンジ部2箇所とも同一構造である。ヒンジピン33はトレー下ケース23の回動穴部32を通ってトレー上ケース22のピン圧入部31に圧入されている。トレー上ケース22とトレー下ケース23とは、互いにガタツキなく回動自在に結合されている。
【００１８】
以上説明した構成により、CDトレーに変形が生じたり、CDの取り付けが不十分であったりしても、装置内部でCDと記録ヘッドが干渉する可能性が低減される。CDの情報記憶媒体としての機能を損なう可能性が低減できるものである。さらに、開閉式のトレー構造とすることで、操作性がよいものである。また本構成を実施すれば、トレーの上面側および下面側のどちらにも搬送駆動力を付与できる。従来技術よりも搬送系設計への制約が少ないので、より良い装置設計に寄与するものである。
【図面の簡単な説明】
【００１９】
【図１】実施例の外観斜視図
【図２】実施例の記録エンジン主要構成を示す斜視図
【図３】従来のCDトレーを示す斜視図
【図４】実施例のCDトレーの構成を示す斜視図
【図５】実施例のCDトレーの記録ヘッド対向面側からの斜視図
【図６】実施例のCDトレーのプラテン対向面側からの斜視図
【図７】実施例のCDトレーのセンター断面図
【図８】実施例のCDトレーのCD取り付け部の拡大断面図
【図９】実施例のCDトレーのCD周縁部の拡大断面図
【図１０】実施例のCDトレーの上下ケースの係止部拡大断面図
【図１１】実施例のCDトレーの上下ケースの回転ヒンジ部の拡大斜視図
【符号の説明】
【００２０】
１  装置筐体
２  CDトレー搬送台
３  給紙口
４  CDトレー
５  メインシャーシ
６  キャリッジ
７  インクタンク
８  記録ヘッド
９  キャリッジシャフト
１０  キャリッジガイド
１１  キャリッジモータ
１２  キャリッジベルト
１３  搬送モータ
１４  搬送駆動伝達系
１５  搬送ローラ
１６  排紙ローラ
１７  プラテン
１８  メンテナンスユニット
１９  CD
２０  CD取り付け部
２１  CD取り付け板
２２  トレー上ケース
２３  トレー下ケース
２４  指かけツバ
２５  上下ケース係止部
２６  上下ケース回動ヒンジ部
２７  CD押さえツバ
２８  CD取り付け弾性部
２９  上ケース係止爪
３０  下ケース係止アゴ
３１  ピン圧入部
３２  回動穴部
３３  ヒンジピン
３４  窪み底
３５  CD外周縁部
３６  排紙口
３７  給紙トレー
【図１】
2007118365.tif 000003
【図２】
2007118365.tif 000004
【図３】
2007118365.tif 000005
【図４】
2007118365.tif 000006
【図５】
2007118365.tif 000007
【図６】
2007118365.tif 000008
【図７】
2007118365.tif 000009
【図８】
2007118365.tif 000010
【図９】
2007118365.tif 000011
【図１０】
2007118365.tif 000012
【図１１】
2007118365.tif 000013